(57)【要約】 【課題】  出力光量を一定に保つことが容易であり、安定した光出力を供給することができる光ピックアップ装置、その調整方法およびそれを用いた電子機器を提供する。【解決手段】  回路基板１０に実装する半固定抵抗器１の形状の特徴を利用してマーキング１１を設ける。操作用溝７は十字状をしており、十字の一辺は、非調整状態においては、半固定抵抗器１の長手方向または幅方向と平行である。そこで十字の一辺の延長線上にマーキング１１を施し、マーキング１１と十字の一辺の形状との相対的な位置によって、半固定抵抗器１の回路基板１０における実装位置を定める。これによって、半固定抵抗１の長手方向および幅方向の位置ずれを防止することができる。【選択図】      図４
2008112479.tif 000002
【特許請求の範囲】
【請求項１】
記録媒体に対して情報の記録、再生または消去を実行可能な光ピックアップ装置において、
光を出射する光源と、
前記光源から出射される光を検出する光出力検出手段と、
前記光検出手段からの出力に応答して前記光源から出射される光の出力を制御する制御手段と、
前記光出力検出手段のゲインを調整するための半固定抵抗器と、
前記光出力検出手段および前記半固定抵抗器が実装面に実装されている基板と、を備え、
前記半固定抵抗器は、抵抗値を調整するための回転子と、前記回転子を回転させるための操作部とを備え、
前記基板は、前記半固定抵抗器の実装位置を決めるためのマーキングを前記実装面に備え、
前記操作部と前記マーキングとの相対的な位置関係によって決定された位置に、前記半固定抵抗器が実装されていることを特徴とする光ピックアップ装置。
【請求項２】
前記操作部は十字状の凹部を有し、
前記実装面内にあり、前記操作部の十字の一辺に平行かつ、前記回転子の回転軸線に直交する仮想直線上に前記マーキングが設けられることを特徴とする請求項１に記載の光ピックアップ装置。
【請求項３】
前記基板は、前記回転子の回転許容範囲を示すための２以上の第２マーキングを前記実装面に備えることを特徴とする請求項２記載の光ピックアップ装置。
【請求項４】
前記回転許容範囲は、前記仮想線が、前記第２マーキングのうちの最も離れた２つのマーキング間を通るような回転範囲であることを特徴とする請求項３に記載の光ピックアップ装置。
【請求項５】
請求項１〜４のいずれか１つに記載の光ピックアップ装置の検出出力を調整する調整方法であって、
前記光ピックアップ装置の光出力と、前記光検出手段からの電気出力によって調整されることを特徴とする光ピックアップ装置の調整方法。
【請求項６】
請求項１〜４のいずれか１つに記載の光ピックアップ装置が搭載されていることを特徴とする電子機器。
【発明の詳細な説明】
【技術分野】
【０００１】
本発明は、たとえばオーディオビジュアル機器などに使用される光ピックアップ装置、その調整方法およびそれを用いた電子機器に関する。
【背景技術】
【０００２】
一般にＣＤ（Compact Disk）またはＤＶＤ（Digital Versatile Disk）といった光ディスク等の記録媒体に情報信号の記録を行う光ピックアップ装置には半導体レーザ装置が搭載されている。半導体レーザ装置に備わっており、光を出射する光源である半導体レーザチップは、使用される環境温度の変動および経年変化などによって出力が変動するので、自動出力制御（Automatic Power Control；略称：ＡＰＣ）回路によって半導体レーザチップの駆動電流が制御され、出力が一定に保たれる。
【０００３】
図８は、従来の光ピックアップ装置４０を示す平面図である。受発光一体型素子４１から出射されたレーザ光は回折ビームスプリッタ４２によって透過光と反射光とに分離される。このうち透過光は、直進して図示しない対物レンズ等によって集光され、各種記録媒体上の記録または再生に利用される。一方反射光は、ＡＰＣ回路が設けられている回路基板４２の表面に実装されたフォトダイオード４３に入射し、ここで電気信号に変換される。そしてフォトダイオード４３の電気出力は、フォトダイオード４３の任意の１端子より出力され、フォトダイオード４３と同じ回路基板４２の表面に実装された半固定抵抗器４４の回転調整によってゲイン調整され、ピックアップ全体の光量が一定に保たれ、一定の出力のレーザ光を得ることができる。ゲインとは、電気回路の増幅器によって電気信号を増幅させること、またはその増幅の値のことである。ゲインは増幅器に入力された信号と出力された信号の値の対比によって求められる。電流、電圧および電力についてそれぞれ求めることが可能で、単位はデシベル（ｄＢ）で表される。特許文献１には、可変抵抗によって、検出出力を調整可能な光ピックアップ装置が開示されている。
【０００４】
【特許文献１】特開平３−１４７５３４号公報
【発明の開示】
【発明が解決しようとする課題】
【０００５】
半固定抵抗器４４を回路基板４２の表面に実装するにあたり、リフロー炉内の温度等の環境が原因で、半固定抵抗器４４そのものの実装位置の位置ずれが起こりうる。位置がずれて実装された半固定抵抗器４４の回転子４５を、いくら厳密に回転させて抵抗値を調整したとしても、抵抗値を最適化することができず、光ピックアップ装置として光量を一定に保つことができないことがある。また半固定抵抗器４４を回路基板４２上の表面に実装したときの初期抵抗値はある程度見積もることができるが、この回転子４５は無制限に回転するため、光ピックアップ装置の光学部品および回路部品の単体のばらつきまたは組み付けのばらつきによっては、回転によって抵抗値が許容範囲を超えてしまうことがありうる。これが原因で光ピックアップ装置の破壊をもたらすことも考えられる。
【０００６】
本発明の目的は、上記の課題を解決して、出力光量を一定に保つことが容易であり、安定した光出力を供給することができる光ピックアップ装置、その調整方法およびそれを用いた電子機器を提供することにある。
【課題を解決するための手段】
【０００７】
本発明は、記録媒体に対して情報の記録、再生または消去を実行可能な光ピックアップ装置において、
光を出射する光源と、
前記光源から出射される光を検出する光出力検出手段と、
前記光検出手段からの出力に応答して前記光源から出射される光の出力を制御する制御手段と、
前記光出力検出手段のゲインを調整するための半固定抵抗器と、
前記光出力検出手段および前記半固定抵抗器が実装面に実装されている基板と、を備え、
前記半固定抵抗器は、抵抗値を調整するための回転子と、前記回転子を回転させるための操作部とを備え、
前記基板は、前記半固定抵抗器の実装位置を決めるためのマーキングを前記実装面に備え、
前記操作部と前記マーキングとの相対的な位置関係によって決定された位置に、前記半固定抵抗器が実装されていることを特徴とする光ピックアップ装置である。
【０００８】
また本発明は、前記操作部は十字状の凹部を有し、
前記実装面内にあり、前記操作部の十字の一辺に平行かつ、前記回転子の回転軸線に直交する仮想直線上に前記マーキングが設けられることを特徴とする。
【０００９】
また本発明は、前記基板は、前記回転子の回転許容範囲を示すための２以上の第２マーキングを前記実装面に備えることを特徴とする。
【００１０】
また本発明は、前記回転許容範囲は、前記仮想線が、前記第２マーキングのうちの最も離れた２つのマーキング間を通るような回転範囲であることを特徴とする。
【００１１】
また本発明は、上記の光ピックアップ装置の検出出力を調整する調整方法であって、
前記光ピックアップ装置の光出力と、前記光検出手段からの電気出力によって調整されることを特徴とする光ピックアップ装置の調整方法である。
【００１２】
また本発明は、上記の光ピックアップ装置が搭載されていることを特徴とする電子機器である。
【発明の効果】
【００１３】
本発明によれば、光ピックアップ装置において、光源から出射される光は光出力検出手段によって検出され、その検出出力のゲイン（利得）が半固定抵抗器によって調整され、制御手段が前記光源から出射される光の出力を制御する。半固定抵抗器の抵抗値は、半固定抵抗器に備えられた操作部を操作し、回転子を回転させることによって調整することができる。光出力検出手段および半固定抵抗器は、基板の実装面に実装され、半固定抵抗器の実装位置は、基板に設けられているマーキングと半固定抵抗器の操作部との相対的な位置関係によって決定される。
【００１４】
これによって半固定抵抗器の実装位置を容易に決めることが可能になり、また半固定抵抗器の実装位置がずれることがなく、基板に設けられる導体と半固定抵抗器とが確実に電気的に接続されるので、半固定抵抗器の抵抗値が調整されることによって、出力光量を一定に保つことが容易であり、安定した光出力を供給することができる。
【００１５】
また本発明によれば、操作部が十字状の凹部を有しており、十字の一辺に平行かつ、前記回転子の回転軸線に直交する実装面内の仮想直線上に前記マーキングが設けられるもで、半固定抵抗器の実装位置を容易に決めることが可能になる。
【００１６】
また本発明によれば、前記基板は、前記回転子の回転許容範囲を示すための２以上の第２マーキングを前記実装面に備える。
【００１７】
半固定抵抗器の回転子は無制限に回転するが、回転させすぎると抵抗値が高くなりすぎたり、逆に低くなりすぎるなどして、光ピックアップ装置が破損するおそれがある。したがって、第２マーキングによって回転許容範囲を示すことで破損を防止することができる。また半固定抵抗器を回転させる範囲を、回転させる前に予め判断することができるので、半固定抵抗器の抵抗値をすばやく調整することができ、抵抗値の調整時間を短縮することが可能になる。
【００１８】
また本発明によれば、前記回転許容範囲は、前記仮想線が、前記第２マーキングのうちの最も離れた２つのマーキング間を通るような回転範囲である。仮想線は、操作部の十字の一辺に平行であるため、回転子を回転させると十字状の回転に伴って仮想線も回転する。回転許容範囲は、回転により移動する仮想線が第２マーキングのうちの最も離れた２つのマーキング間を通るような範囲であるので、第２マーキングが目盛りの如く機能する。
【００１９】
したがって、第２マーキングにより、回転許容範囲の識別が容易になり、光ピックアップ装置が破損することを防ぐこと可能になる。
【００２０】
また本発明によれば、上記の効果を備えるいずれかの光ピックアップ装置の検出出力を、半固定抵抗器によって調整する際、光検出手段からの電気出力を利用して調整する。設計段階では正確な抵抗値を決めることができない場合に、光源から出射する光の出力と、光出力検出手段が検出する光の出力とを監視しながら半固定抵抗器を回転させて抵抗値を調整することによって、半固定抵抗器の抵抗値を確実に最適化することができ、光ピックアップ装置の光出力の安定性および精度を高めることが可能になる。
【００２１】
また本発明によれば、電子機器には上記の効果を備えるいずれかの光ピックアップ装置が搭載される。光ピックアップ装置の光出力の安定性および精度が高いので、電子機器の性能を高めることが可能になる。
【発明を実施するための最良の形態】
【００２２】
抵抗器の分類の一つとして、抵抗値が可変のものと固定のものとがある。予め抵抗値が所定の値に固定されている抵抗器を固定抵抗器といい、抵抗値を適宜変更しうる抵抗器を可変抵抗器という。そして機能上これらの中間に位置づけられるものとして、回路基板に実装後に所望の抵抗値に調整することができて、その後その抵抗値で固定して使用する抵抗器があり、これを半固定抵抗器という。
【００２３】
形態上分類される抵抗器の一つとして、チップ型抵抗器がある。これは最近の電子機器のコンパクト化の要請と、自動組立て対応の要請に応えて開発されたものであって、回路基板上に自動機により高密度に面実装できるように、小さい角形チップの形態をもっている。半固定抵抗器においてもチップ化のニーズが高まり、チップ型半固定抵抗器が開発されている。
【００２４】
本発明は、このようなチップ型半固定抵抗器が搭載された光ピックアップ装置に関するものである。そこでまずチップ型半固定抵抗器の基本構成を図１から図３に基づいて説明する。
【００２５】
図１は、本発明の光ピックアップ装置に搭載される半固定抵抗器１を示す上面図である。図２は、本発明の光ピックアップ装置に搭載される半固定抵抗器１を示す背面図である。
【００２６】
半固定抵抗器１は、直方体のケース２の一面に、回転子３、第１電極部４および第２電極部５が設けられ、またケース２の反対側の面には第３電極部６が設けられている。回転子３の表面部分には、十字状の凹部である操作用溝７を有する操作部が設けられており、操作用溝７にドライバなどの冶具を係合させ回転子３を回転させると、所望の抵抗値が得られる。ケース２および回転子３は、絶縁性の合成樹脂材料からなり、各電極部は導電性の金属材料からなる。第１電極部４および第２電極部５は、ケース２の側面に沿って反対側の面までつながっている。
【００２７】
第１電極部４と第２電極部５とは、ケース２の長手方向同じ側に設けられ、第３電極部６は、第１電極部４および第２電極部５とは長手方向反対側に設けられている。ケース２の背面中央部において、第３電極部６は保護膜８に覆われている。
【００２８】
図３は、本発明の光ピックアップ装置に搭載される半固定抵抗器１を示す側面図である。ケース２と回転子３との間には、抵抗体被膜９が設けられている。抵抗体被膜９は、ケース２上に円弧状に形成されており、円弧状の抵抗体被膜９の両端部は、第１電極部４および第２電極部５に接続されている。また回転子３には、触子部３ａが設けられている。触子部３ａは、抵抗体被膜９と接触しており、接触位置は、回転子３の回転によって変化する。第３電極部６は、図示しないケース２の内部で、回転子３の触子部３ａと電気的に接続されている。
【００２９】
触子部３ａは、ケース２に設けられている抵抗体被膜９の円弧部に接触しながらスライドする。これによって、ケース２の一方の側の第１電極部４または第２電極部５のうちいずれか一方と、ケース２のもう一方の側の第３電極部６との間の抵抗体被膜９の長さが変化し、これに伴って抵抗値が変化する。第１電極部４、第２電極部５および第３電極部６は、リフローはんだづけ等によって、回路基板１０の実装面上に設けられている導体と電気的に接続される。
【００３０】
図４は、本発明の実施の第１形態を示す平面図である。チップ型の半固定抵抗器１は、回路基板１０に実装されている。また回路基板１０にはマーキング１１が施されている。半固定抵抗器１の厳密な抵抗値調整のためには、半固定抵抗器１の回路基板１０への表面実装位置が重要な要素となる。回路基板１０に設けられている導体と、半固定抵抗器１の電極部との接触面積によって、半固定抵抗器１に流れ込む電流が変化し、光出力の制御に影響するからである。そこで半固定抵抗器１の回路基板１０における表面実装位置を定めるために、回路基板１０上にあらかじめマーキング１１が施されている。半固定抵抗器１の表面実装位置は、回転子の十字溝７とマーキング１１との相対的な位置関係によって決定される。
【００３１】
これによって半固定抵抗器１の実装位置を容易に決めることが可能になり、また半固定抵抗器の実装位置がずれることがなく、回路基板１０に設けられる導体と半固定抵抗器１の各電極部とが確実に電気的に接続されるので、半固定抵抗器１の抵抗値が調整されることによって、出力光量を一定に保つことが容易であり、安定した光出力を供給することができる。
【００３２】
本実施例においては、マーキング１１は半固定抵抗器１の第１電極部４および第２電極部５の間に設けられているが、この位置は特に定められるものではない。
【００３３】
マーキングの形成方法には、接触マーキングと非接触マーキングとがある。
接触マーキングとしては、手書き、スタンプ、ラベルまたは刻印によるマーキングが挙げられ、非接触マーキングとしては、インクジェットプリンタまたはレーザマーカによるマーキングが主に挙げられる。
【００３４】
ペン等によって人が書く方法は最も簡単で安価な方法であり、生産量が少ない場合に有効である。ただし人が行う作業であるためマーキング位置などを間違える場合がある。
【００３５】
スタンプには、手押しと機械押しとがある。スタンプによれば、インクの付着が多すぎ押し圧が強いとマーキングがつぶれ、インクの付着が少なすぎ押し圧が弱いとマーキングがかすれるので、とくに曲面や柔らかいものへ連続してマーキングを施すことは困難である。
【００３６】
ラベルは、直接製品にマーキングを施すわけではないが、同じ目的で使用される。ラベルによれば、別途プリンタなどでマーキングを施すためきれいなマーキングができる。しかしラベルがはがれてしまう場合がある。
【００３７】
刻印によれば、製品表面に刻み込むので消えないマーキングを施すことができる。しかし製品に衝撃を与えるので精度が必要な製品にマーキングを施すことは困難である。
【００３８】
インクジェットプリンタによれば、インクを吹きつけ、製品に触れずにマーキングを施すことができる。曲面や柔らかいものにも対応可能で、高速移動中にマーキングを施すことができるので製品製造ラインを止める必要がなく、効率的である。
【００３９】
レーザマーカによれば、レーザビームの熱でマーキングを施す。インクやラベルの補充、手入れなどがほとんど不要という大きなメリットがある。また消えないマーキングができるため重要な部品や製品に対しても対応することができる。
【００４０】
このような非接触マーキングによれば、曲面や凸凹した面およびやわらかい物にも対応可能で、また製品製造ラインを止めず効率的に、さらに衝撃を与えず製品の精度を落とさずにマーキングを施すことができる。
本発明で用いるマーキングは、上述したいずれのマーキングであっても構わない。
【００４１】
図５は、本発明の実施の第２形態を示す平面図である。半固定抵抗器１の形状の特徴を利用してマーキング１１が施されることが有用であり、たとえば操作用溝７の形状を利用してマーキングが施される。操作用溝７は十字状をしており、十字の一辺は、非調整状態においては、半固定抵抗器１の長手方向と平行である。そこで回路基板１０の実装面内にあり、操作用溝７の十字の一辺に平行かつ、回転子３の回転軸線に直交する仮想直線２１上にマーキング１１を設けている。マーキング１１と十字の一辺との相対的位置によって、半固定抵抗器１の回路基板１０における実装位置が定められる。これによって、半固定抵抗１の幅方向の位置ずれを防止することができる。さらにマーキング１１と回転子３の回転中心つまりは十字の中心との距離が定められることによって、半固定抵抗器１の長手方向の位置ずれを防止することができる。
【００４２】
また十字のもう一方の辺は、非調整状態においては、半固定抵抗器１の幅方向と平行である。そこで十字のもう一方の辺に平行な仮想線２１の延長線上にマーキング１１が施され、マーキング１１と十字のもう一方の辺との相対的位置によって、半固定抵抗器１の回路基板１０における実装位置が定められる。これによって、半固定抵抗１の長手方向の位置ずれを防止することができる。さらにマーキング１１と回転子３の回転中心つまりは十字の中心との距離が定められることによって、半固定抵抗器１の幅方向の位置ずれを防止することができる。
【００４３】
操作用溝７の十字の両方の辺それぞれに平行な２本の仮想線２１の延長線上にマーキング１１が２箇所施されることによって、マーキング１１と回転子３の回転中心つまりは十字の中心との距離が定められなくても、半固定抵抗器１の長手方向および幅方向の位置ずれを防止することができる。
【００４４】
図６は、本発明の実施の第３形態を示す平面図である。チップ型半固定抵抗器１は、回路基板１０に実装されている。回路基板１０には、半固定抵抗器１の実装位置を決めるためのマーキング（以下では、第１マーキングという。）１１の他に、回転子３の回転許容範囲を示す第２マーキング１２および１３が施されている。
【００４５】
上記のように、半固定抵抗器１の抵抗値調整は回転子３を回転させることによって行う。設計段階では正確な抵抗値を決めることができない場合に、光源から出射する光の出力と、光出力検出手段が検出する光の出力とを監視しながら回転子３を回転させて抵抗値を調整することによって、半固定抵抗器１の抵抗値を確実に最適化することができる。回転子３は、出力が一定に保たれる位置で固定され、使用される。回転子３は、無制限に３６０°両方向に回転させることができるので、光ピックアップ装置の光学部品および回路部品の組み付け不良または部品単体の不具合等によっては、半固定抵抗器１の抵抗値が許容範囲から外れ、ときには光ピックアップ装置のレーザーダイオードの破壊等の不具合が生じる。この不具合を解決するために、第１の実施形態において設けられたマーキング１１とは別に回路基板１０上に第２マーキング１２および１３が、回転許容範囲を示すために予め施されている。許容範囲を示すことによって、回転子３が回転しすぎて、抵抗値が大きくなりすぎる、または小さくなりすぎることを防ぎ、さらに出力が一定に保たれる抵抗値を、回転範囲内で容易に探すことができる。
【００４６】
回転許容範囲は、仮想線２１が、第２マーキングのうちの最も離れた２つのマーキング、本実施形態では第２マーキング１２および１３の間を通るような回転範囲である。
【００４７】
仮想線２１は、操作用溝７の一辺に平行であるため、回転子３を回転させると溝の回転に伴って仮想線２１も回転する。回転許容範囲は、回転により移動する仮想線２１が第２マーキングのうちの最も離れた２つのマーキング、本実施形態では第２マーキング１２および１３の間を通るような範囲であり、仮想線２１が、仮想線２２および仮想線２３の位置となるような場合が、許容範囲の臨界位置となる。
【００４８】
光ピックアップ装置の光学部品および回路部品の組み付けまたは組み合わせによって、半固定抵抗器１の回転子３の回転範囲がある程度限定されるので、第２マーキング１２，１３が目盛りの如く機能し、調整時には、目盛りの範囲内で最適位置を探索すればよい。
【００４９】
図７は、本発明の実施の第４形態を示す平面図である。チップ型半固定抵抗器１は、回路基板１０に実装されている。回路基板１０には、半固定抵抗器１の回転許容範囲を示す第２マーキング１２、１３および第３マーキング１４が施されている。第３マーキング１４以外は、第３実施形態と同様であるので、他の構成については説明を省略する。
【００５０】
半固定抵抗器１の回転子３の回転角度と抵抗値との相関関係が明らかである場合は、臨界位置を示す第２マーキング１２，１３のみならず所定の抵抗値の目盛りとなる第３マーキングを設けることが望ましい。
【００５１】
たとえば、製品ごとに調整の目安となる抵抗値があるのであれば、その抵抗値に対応するマーキングを第３マーキング１４として設けておく。こうすることで、仮想線が第３マーキング１４と重なる仮想線２４の位置になるように回転子３を回転させて、素早く目安の値にまで抵抗値を変更し、そこから微調整を行うことができるので、抵抗値の調整に要する時間をさらに短縮することができる。
【図面の簡単な説明】
【００５２】
【図１】本発明の光ピックアップ装置に搭載される半固定抵抗器１を示す上面図である。
【図２】本発明の光ピックアップ装置に搭載される半固定抵抗器１を示す背面図である。
【図３】本発明の光ピックアップ装置に搭載される半固定抵抗器１を示す側面図である。
【図４】本発明の実施の第１形態を示す平面図である。
【図５】本発明の実施の第２形態を示す平面図である。
【図６】本発明の実施の第３形態を示す平面図である。
【図７】本発明の実施の第４形態を示す平面図である。
【図８】従来の光ピックアップ装置４０を示す平面図である。
【符号の説明】
【００５３】
１  半固定抵抗器
２  ケース
３  回転子
３ａ  触子部
４  第１電極部
５  第２電極部
６  第３電極部
７  調整用溝
８  保護膜
９  抵抗体被膜
１０  回路基板
１１  マーキング
１２，１３  第２マーキング
１４  第３マーキング
２１  仮想線
【図１】
2008112479.tif 000003
【図２】
2008112479.tif 000004
【図３】
2008112479.tif 000005
【図４】
2008112479.tif 000006
【図５】
2008112479.tif 000007
【図６】
2008112479.tif 000008
【図７】
2008112479.tif 000009
【図８】
2008112479.tif 000010